(57)【要約】【課題】外観を損ねること無く少ない部品数によって構成される電子機器を提供する。【解決手段】音声を出力するスピーカ１６と、外観を構成する外部カバー１０と、前記外部カバーの前記スピーカに対向する位置に設けられた複数のスピーカ孔２６と、前記外部カバーの裏面側に形成され前記スピーカ孔の周囲を囲む位置に形成されたスペーサ３０と、前記外部カバーの裏面側に位置する内部カバー１８と、前記内部カバーの表面側に形成され前記スペーサが位置する凹部２０と、前記内部カバーの前記スピーカと前記スピーカ孔との間に形成された通音孔と、前記内部カバーの前記凹部内に形成された通気孔２４とを備える。【選択図】  図６
2013157764.tif 000002
【特許請求の範囲】
【請求項１】
音声を出力するスピーカと、
外観を構成する外部カバーと、
前記外部カバーの前記スピーカに対向する位置に設けられた複数のスピーカ孔と、
前記外部カバーの裏面側に形成され前記スピーカ孔の周囲を囲む位置に形成されたスペーサと、
前記外部カバーの裏面側に位置する内部カバーと、
前記内部カバーの表面側に形成され前記スペーサが位置する凹部と、
前記内部カバーの前記スピーカと前記スピーカ孔との間に形成された通音孔と、
前記内部カバーの前記凹部内に形成された通気孔と、
を備えることを特徴とする電子機器。
【請求項２】
前記外部カバーの裏面側の前記スピーカ孔を覆う位置に設けられた、防水性及び通気性を有するフィルタを備えることを特徴とする請求項１に記載の電子機器。
【請求項３】
前記外部カバーは、前面部、背面部、側面部を有し、
前記側面部は、前記前面部と前記背面部とにより挟持され、前記前面部及び前記背面部とに密着していることを特徴とする請求項１又は請求項２に記載の電子機器。
【発明の詳細な説明】
【技術分野】
【０００１】
本発明は、電子機器に関するものである。
【背景技術】
【０００２】
防水性を維持しつつ、機器内部の通気性を確保するための通気孔を有する携帯電話機が知られている。この携帯電話機においては、外観のデザイン性を維持するために通気孔を隠す化粧板が両面テープによってフロントケースに接着されている（例えば、特許文献１参照）。
【先行技術文献】
【特許文献】
【０００３】
【特許文献１】特開２０１０−２７８６１６号公報
【発明の概要】
【発明が解決しようとする課題】
【０００４】
しかしながら、上述の電子機器においては、外観のデザイン性を維持するために化粧板や両面テープを用いているので、部品数が増加してしまう。
【０００５】
本発明の目的は、外観を損ねることなく少ない部品数によって構成される電子機器を提供することである。
【課題を解決するための手段】
【０００６】
本発明の電子機器は、音声を出力するスピーカと、外観を構成する外部カバーと、前記外部カバーの前記スピーカに対向する位置に設けられた複数のスピーカ孔と、前記外部カバーの裏面側に形成され前記スピーカ孔の周囲を囲む位置に形成されたスペーサと、前記外部カバーの裏面側に位置する内部カバーと、前記内部カバーの表面側に形成され前記スペーサが位置する凹部と、前記内部カバーの前記スピーカと前記スピーカ孔との間に形成された通音孔と、前記内部カバーの前記凹部内に形成された通気孔とを備えることを特徴とする。
【発明の効果】
【０００７】
本発明の電子機器によれば、外観を損ねること無く少ない部品数によって構成することができる。
【図面の簡単な説明】
【０００８】
【図１】実施の形態に係るデジタルカメラの前面を示す斜視図である。
【図２】実施の形態に係るデジタルカメラを正面側から見た内部構成を示す図である。
【図３】実施の形態に係る内部カバーのスピーカ部に対向する領域を示す斜視図である。
【図４】実施の形態に係る側面カバーのスピーカ部に対向する領域を示す斜視図である。
【図５】実施の形態に係るスペーサと凹面部との位置関係を示す図である。
【図６】実施の形態に係るスピーカ部の周囲の側面カバー及び内部カバーの構造を示す断面図である。
【発明を実施するための形態】
【０００９】
以下、図面を参照して、本発明の実施の形態に係る電子機器としてのデジタルカメラについて説明する。図１は実施の形態に係るデジタルカメラの前面を示す斜視図である。デジタルカメラ２の前面には、被写体からの光を入射させる撮影窓４、上面にはレリーズ指示を行うレリーズボタン６が設けられている。デジタルカメラ２の筐体は、前面部となる前面カバー８、背面部となる不図示の背面カバー、上面部と下面部と側面部とが一体となった側面カバー１０により構成される。側面カバー１０は、前面カバー１０及び背面カバーによって隙間無く密着するように挟持され、これによってデジタルカメラ２の防水機能が確保されている。
【００１０】
図２は実施の形態に係るデジタルカメラを正面側から見た内部構成を示す図である。デジタルカメラ２の内部には、撮像素子１２、電源部１４、スピーカ部１６等が配置されている。撮像素子１２は、撮影窓４から入射した被写体光を撮像する。電源部１４は、デジタルカメラ２の各部に電力を供給する。スピーカ部１６は、不図示の記憶媒体に記憶されている音声データに基づく音声を出力する。
【００１１】
またデジタルカメラ２の側面カバー１０の裏面側には内部カバー１８が配置されている。図３は実施の形態に係る内部カバー１８のスピーカ部１６に対向する領域を示す斜視図である。内部カバー１８の表面側には、スピーカ部１６に対向する位置を含む略長方形の凹部２０が形成されている。凹部２０のスピーカ部１６に対向する位置には通音孔２２が形成されており、凹部２０のスピーカ部１６に対向する位置の下部には通気孔２４が形成されている。
【００１２】
図４は実施の形態に係る側面カバー１０のスピーカ部１６に対向する領域を示す斜視図であり、（ａ）は側面カバー１０の表面側を示し、（ｂ）は側面カバー１０の裏面側を示している。側面カバー１０には、スピーカ部１６と対向する位置に複数のスピーカ孔２６が設けられている。また側面カバー１０の裏面側には、スピーカ孔２６を覆うように、防水フィルタ２８が接着されている。また、側面カバー１０の裏面側には、防水フィルタ２８の周囲を囲み、内部カバー１８の凹部２０に沿った外周形状を有するスペーサ３０が形成されている。従って図５の矢印で示すようにスペーサ３０の外壁部が凹部２０の内壁部に接するように、側面カバー１０と内部カバー１８とが組み合わされる。なお、防水フィルタ２８は例えばＰＴＦＥ樹脂により形成された連続多孔質フィルタであり、防水性を維持しつつ通気性及び通音性を有している。
【００１３】
図６は実施の形態に係るスピーカ部の周囲の側面カバー及び内部カバーの構造を示す断面図である。スペーサ３０が凹部２０内に位置するため、側面カバー１０のスペーサ３０に囲まれる領域においては、内部カバー１８と側面カバー１０との間に間隙３２が形成される。間隙３２は、通気孔２４及びスピーカ孔２６に連通している。従って撮像素子１２や電源部１４から発生する熱によって加熱された空気は、図６の矢印で示すように、通気孔２４から間隙３２、スピーカ孔２６を介して外部へ放出される。
【００１４】
また、側面カバー１０の裏面側には、スピーカ孔２６を覆うように防水フィルタ２８が接着されているので、スピーカ孔２６を介した外部からの浸水を防止でき、これによりデジタルカメラ２の防水性が維持される。
【００１５】
本実施の形態に係るデジタルカメラ２によれば、側面カバー１０のスピーカ孔２６の裏側に設けられたスペーサ３０が内部カバー１８の表面側に設けられた凹部２０内に位置することにより間隙３２が形成されるので、デジタルカメラ２の内部で加熱された空気が通気孔２４、間隙３２、スピーカ孔２６を介し外部へ放出されるため、デジタルカメラ２内で発生した熱の放熱を行なうことができる。また通気孔２４が側面カバー１０によって隠れるのでデジタルカメラ２の外観を損ねることがない。また従来のような通気孔を隠すための化粧板や両面テープ等を削減できるので、少ない部品数によってデジタルカメラを構成することができる。
【００１６】
また、防水フィルタ２８によりスピーカ孔２６からデジタルカメラ２内部への浸水を防止できるので、通気性を確保しながら防水性を維持することができる。
【００１７】
なお、上述の実施の形態においては、電子機器としてのデジタルカメラを例に説明したが、これに限らずＰＤＡや携帯電話機、ゲーム機等の他の電子機器についても、同様の側面カバー及び内部カバーを設ければ、外観を損ねること無く少ない部品数によって構成することができる。また防水フィルタをスピーカ孔の裏側に接着することにより、通気性を確保しながら、スピーカ孔から電子機器の内部への浸水を防止することができる。
【符号の説明】
【００１８】
２…デジタルカメラ、１０…側面カバー、１６…スピーカ部、１８…内部カバー、２０…凹部、２２…通音孔、２４…通気孔、２６…スピーカ孔、２８…防水フィルタ、３０…スペーサ、３２…間隙。
【図１】
2013157764.tif 000003
【図２】
2013157764.tif 000004
【図３】
2013157764.tif 000005
【図４】
2013157764.tif 000006
【図５】
2013157764.tif 000007
【図６】
2013157764.tif 000008